(57)【要約】      （修正有）【課題】対物レンズ駆動装置の良好な動作特性を確保する。【解決手段】移動ベースに固定された固定ブロック９と二つの対物レンズ１２、１３と対物レンズを保持するレンズホルダー１１とを有する可動ブロック１０と、固定ブロックと可動ブロックを連結する複数の支持バネ１９と、可動ブロックをフォーカス方向へ動作させるフォーカス調整用磁気回路２１と、可動ブロックをトラッキング方向へ動作させるトラッキング調整用磁気回路２２とを設け、レンズホルダーに立上ミラー４１で反射されて二つの対物レンズにそれぞれ入射されるレーザー光の光路となる光路用切欠１４を形成し、一方の対物レンズに入射されるレーザー光の光路Ｐ１と他方の対物レンズに入射されるレーザー光の光路Ｐ２とを光路用切欠又はその近傍において交差させ、フォーカス調整用磁気回路とトラッキング調整用磁気回路をタンジェンシャル方向においてそれぞれ可動ブロックの両側に配置した。【選択図】図５
2009043305.tif 000002
【特許請求の範囲】
【請求項１】
ディスクテーブルに装着されるディスク状記録媒体の半径方向へ移動される移動ベースと該移動ベースに配置された対物レンズ駆動装置とを備えると共にディスクテーブルに装着されたディスク状記録媒体に対してレーザー光を照射する光ピックアップであって、
対物レンズ駆動装置は、
移動ベースに固定された固定ブロックと、
ディスク状記録媒体の略半径方向に離隔して配置された二つの対物レンズと該二つの対物レンズを保持するレンズホルダーとを有すると共に固定ブロックに対してディスク状記録媒体の記録面に離接する方向であるフォーカス方向及びディスク状記録媒体の略半径方向であるトラッキング方向へ動作される可動ブロックと、
固定ブロックと可動ブロックを連結する複数の支持バネと、
可動ブロックをフォーカス方向へ動作させマグネットとフォーカスコイルを有するフォーカス調整用磁気回路と、
可動ブロックをトラッキング方向へ動作させマグネットとトラッキングコイルを有するトラッキング調整用磁気回路とを備え、
可動ブロックのレンズホルダーに、立上ミラーで反射されて二つの対物レンズにそれぞれ入射されるレーザー光の光路となる光路用切欠を形成し、
一方の対物レンズに入射されるレーザー光の光路と他方の対物レンズに入射されるレーザー光の光路とを光路用切欠又はその近傍において交差させ、
フォーカス調整用磁気回路とトラッキング調整用磁気回路をディスク状記録媒体の記録トラックの接線方向であるタンジェンシャル方向においてそれぞれ可動ブロックの両側に配置した
ことを特徴とする光ピックアップ。
【請求項２】
フォーカス調整用磁気回路とトラッキング調整用磁気回路をディスク状記録媒体の半径方向において光路用切欠の両側に配置した
ことを特徴とする請求項１に記載の光ピックアップ。
【請求項３】
ディスク状記録媒体が装着されて回転されるディスクテーブルと該ディスクテーブルに装着されるディスク状記録媒体に対してレーザー光を照射する光ピックアップとを備え、該光ピックアップがディスクテーブルに装着されるディスク状記録媒体の半径方向へ移動される移動ベースと該移動ベースに配置された対物レンズ駆動装置とを有するディスクドライブ装置であって、
対物レンズ駆動装置は、
移動ベースに固定された固定ブロックと、
ディスク状記録媒体の略半径方向に離隔して配置された二つの対物レンズと該二つの対物レンズを保持するレンズホルダーとを有すると共に固定ブロックに対してディスク状記録媒体の記録面に離接する方向であるフォーカス方向及びディスク状記録媒体の略半径方向であるトラッキング方向へ動作される可動ブロックと、
固定ブロックと可動ブロックを連結する複数の支持バネと、
可動ブロックをフォーカス方向へ動作させマグネットとフォーカスコイルを有するフォーカス調整用磁気回路と、
可動ブロックをトラッキング方向へ動作させマグネットとトラッキングコイルを有するトラッキング調整用磁気回路とを備え、
可動ブロックのレンズホルダーに、立上ミラーで反射されて二つの対物レンズにそれぞれ入射されるレーザー光の光路となる光路用切欠を形成し、
一方の対物レンズに入射されるレーザー光の光路と他方の対物レンズに入射されるレーザー光の光路とを光路用切欠又はその近傍において交差させ、
フォーカス調整用磁気回路とトラッキング調整用磁気回路をディスク状記録媒体の記録トラックの接線方向であるタンジェンシャル方向においてそれぞれ可動ブロックの両側に配置した
ことを特徴とするディスクドライブ装置。
【発明の詳細な説明】
【技術分野】
【０００１】
本発明は光ピックアップ及びディスクドライブ装置に関する。詳しくは、二つの対物レンズにそれぞれ入射されるレーザー光の光路を光路用切欠又はその近傍において交差させると共にフォーカス調整用磁気回路とトラッキング調整用磁気回路をタンジェンシャル方向において可動ブロックの両側に配置して対物レンズ駆動装置の良好な動作特性を確保する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベースに配置された対物レンズ駆動装置とを備え、該対物レンズ駆動装置は、固定ブロックと該固定ブロックに金属製のワイヤー等の支持バネを介して支持された可動ブロックとを備えている。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
このような光ピックアップには、種類の異なるディスク状記録媒体に対応して対物レンズ駆動装置に二つの対物レンズが設けられたものがある。例えば、一方の対物レンズがＤＶＤ（Digital Versatile Disc）とＣＤ（Compact Disc）に対応して設けられ、他方の対物レンズがＢＤ（Blu-ray Disc）に対応して設けられる。
【０００６】
二つの対物レンズを備えた対物レンズ駆動装置には、二つの対物レンズがディスク状記録媒体の記録トラックの接線方向（タンジェンシャル方向）に離隔して配置されたタイプが存在する（例えば、特許文献１参照）。
【０００７】
このような二つの対物レンズがタンジェンシャル方向に離隔して配置された対物レンズ駆動装置にあっては、一方の対物レンズの下方にレーザー光を反射又は透過させるキューブミラーが配置され、他方の対物レンズの下方にレーザー光を反射させる立上ミラーが配置されている。第１の半導体レーザーから出射されたレーザー光は、可動ブロックの光路用切欠を通過してキューブミラーで反射されて立ち上げられ一方の対物レンズに入射され、第２の半導体レーザーから出射されたレーザー光は、可動ブロックの光路用切欠を通過してキューブミラーを透過して立上ミラーで反射されて立ち上げられ他方の対物レンズに入射される。
【０００８】
このように二つの対物レンズがタンジェンシャル方向に離隔して配置された対物レンズ駆動装置においては、他方の対物レンズに入射されるレーザー光がキューブミラーを透過するが、キューブミラーにおける光の透過率を１００％にすることが困難であるため、他方の対物レンズに入射されるレーザー光の強度が不足するおそれがあると言う問題がある。
【０００９】
そこで、二つの対物レンズを備えた対物レンズ駆動装置として、二つの対物レンズがディスク状記録媒体の半径方向（ラジアル方向）に離隔して配置されたタイプが存在する（例えば、特許文献２参照）。
【００１０】
【特許文献１】特開２００７−１０２９１２号公報
【特許文献２】特開平１１−１２０５７２号公報
【発明の開示】
【発明が解決しようとする課題】
【００１１】
ところが、特許文献２に記載された対物レンズ駆動装置のように、二つの対物レンズがラジアル方向に離隔して配置されている場合には、一方の対物レンズと他方の対物レンズにそれぞれ入射されるレーザー光の光路が可動ブロックの光路用切欠を通過される位置においてラジアル方向に離隔して平行とされるため、光路用切欠の開口幅がラジアル方向に大きく、その分、可動ブロックの剛性が低くなると言う問題がある。
【００１２】
従って、可動ブロックが、特に、フォーカス方向へ動作されたときに共振が発生し易く、フォーカス調整動作に支障を来たすおそれがある。
【００１３】
また、可動ブロックに対する駆動力の向上等を図るためには、タンジェンシャル方向において可動ブロックの両側にフォーカス調整用磁気回路やトラッキング調整用磁気回路を配置することが望ましいが、光路用切欠の開口幅が大きいため、可動ブロックの光路用切欠が形成された面側に配置しようとしたコイルやマグネットによって光路用切欠が閉塞されるおそれがあり、フォーカス調整用磁気回路やトラッキング調整用磁気回路を可動ブロックの光路用切欠が形成されている面側に配置することが困難である。
【００１４】
この場合光路用切欠を閉塞しない状態でフォーカス調整用磁気回路やトラッキング調整用磁気回路を可動ブロックの光路用切欠が形成されている面側に配置しようとすると、コイルやマグネットの配置スペースを確保するために、可動ブロックのラジアル方向における幅を大きくする必要があり、対物レンズ駆動装置の大型化を来してしまうと言う不具合を生じる。
【００１５】
従って、フォーカス調整用磁気回路及びトラッキング調整用磁気回路を可動ブロックと固定ブロックの間の位置にのみ配置せざるを得ず、可動ブロックが、特に、フォーカス方向へ動作されたときに、可動ブロックが傾いた状態となり易く、やはりフォーカス調整動作に支障を来たしてしまう。
【００１６】
そこで、本発明光ピックアップ及びディスクドライブ装置は、上記した問題点を克服し、対物レンズ駆動装置の良好な動作特性を確保することを課題とする。
【課題を解決するための手段】
【００１７】
光ピックアップ及びディスクドライブ装置は、上記した課題を解決するために、対物レンズ駆動装置は、移動ベースに固定された固定ブロックと、ディスク状記録媒体の略半径方向に離隔して配置された二つの対物レンズと該二つの対物レンズを保持するレンズホルダーとを有すると共に固定ブロックに対してディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを設け、可動ブロックのレンズホルダーに、立上ミラーで反射されて二つの対物レンズにそれぞれ入射されるレーザー光の光路となる光路用切欠を形成し、一方の対物レンズに入射されるレーザー光の光路と他方の対物レンズに入射されるレーザー光の光路とを光路用切欠又はその近傍において交差させ、フォーカス調整用磁気回路とトラッキング調整用磁気回路をディスク状記録媒体の記録トラックの接線方向であるタンジェンシャル方向においてそれぞれ可動ブロックの両側に配置したものである。
【００１８】
従って、光ピックアップ及びディスクドライブ装置にあっては、タンジェンシャル方向において可動ブロックの両側に、可動ブロックを動作させるための推力が生じる。
【発明の効果】
【００１９】
本発明光ピックアップは、ディスクテーブルに装着されるディスク状記録媒体の半径方向へ移動される移動ベースと該移動ベースに配置された対物レンズ駆動装置とを備えると共にディスクテーブルに装着されたディスク状記録媒体に対してレーザー光を照射する光ピックアップであって、対物レンズ駆動装置は、移動ベースに固定された固定ブロックと、ディスク状記録媒体の略半径方向に離隔して配置された二つの対物レンズと該二つの対物レンズを保持するレンズホルダーとを有すると共に固定ブロックに対してディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを備え、可動ブロックのレンズホルダーに、立上ミラーで反射されて二つの対物レンズにそれぞれ入射されるレーザー光の光路となる光路用切欠を形成し、一方の対物レンズに入射されるレーザー光の光路と他方の対物レンズに入射されるレーザー光の光路とを光路用切欠又はその近傍において交差させ、フォーカス調整用磁気回路とトラッキング調整用磁気回路をディスク状記録媒体の記録トラックの接線方向であるタンジェンシャル方向においてそれぞれ可動ブロックの両側に配置したことを特徴とする。
【００２０】
従って、光路用切欠を小さくすることができ、その分、可動ブロックの剛性を高くすることが可能となり、該可動ブロックが動作されたときに共振が発生し難く、対物レンズ駆動装置の良好な動作特性を確保することができる。
【００２１】
また、フォーカス調整用磁気回路とトラッキング調整用磁気回路をタンジェンシャル方向においてそれぞれ可動ブロックの両側に配置しているため、タンジェンシャル方向において対物レンズの両側に可動ブロックを動作させる駆動力を発生させることができ、可動ブロックが動作されたときに傾いた状態となり難く、共振の発生を防止することが可能となり、対物レンズ駆動装置の良好な動作特性を確保することができる。
【００２２】
請求項２に記載した発明にあっては、フォーカス調整用磁気回路とトラッキング調整用磁気回路をディスク状記録媒体の半径方向において光路用切欠の両側に配置したので、駆動力の発生点の良好なバランスが確保され、対物レンズ駆動装置の良好な動作特性を確保することができる。
【００２３】
本発明ディスクドライブ装置は、ディスク状記録媒体が装着されて回転されるディスクテーブルと該ディスクテーブルに装着されるディスク状記録媒体に対してレーザー光を照射する光ピックアップとを備え、該光ピックアップがディスクテーブルに装着されるディスク状記録媒体の半径方向へ移動される移動ベースと該移動ベースに配置された対物レンズ駆動装置とを有するディスクドライブ装置であって、対物レンズ駆動装置は、移動ベースに固定された固定ブロックと、ディスク状記録媒体の略半径方向に離隔して配置された二つの対物レンズと該二つの対物レンズを保持するレンズホルダーとを有すると共に固定ブロックに対してディスク状記録媒体の記録面に離接する方向であるフォーカス方向及びディスク状記録媒体の略半径方向であるトラッキング方向へ動作される可動ブロックと、固定ブロックと可動ブロックを連結する複数の支持バネと、可動ブロックをフォーカス方向へ動作させマグネットとフォーカスコイルを有するフォーカス調整用磁気回路と、可動ブロックをトラッキング方向へ動作させマグネットとトラッキングコイルを有するトラッキング調整用磁気回路とを備え、可動ブロックのレンズホルダーに、立上ミラーで反射されて二つの対物レンズにそれぞれ入射されるレーザー光の光路となる光路用切欠を形成し、一方の対物レンズに入射されるレーザー光の光路と他方の対物レンズに入射されるレーザー光の光路とを光路用切欠又はその近傍において交差させ、フォーカス調整用磁気回路とトラッキング調整用磁気回路をディスク状記録媒体の記録トラックの接線方向であるタンジェンシャル方向においてそれぞれ可動ブロックの両側に配置したことを特徴とする。
【００２４】
従って、光路用切欠を小さくすることができ、その分、可動ブロックの剛性を高くすることが可能となり、該可動ブロックが動作されたときに共振が発生し難く、対物レンズ駆動装置の良好な動作特性を確保することができる。
【００２５】
また、フォーカス調整用磁気回路とトラッキング調整用磁気回路をタンジェンシャル方向においてそれぞれ可動ブロックの両側に配置しているため、タンジェンシャル方向において対物レンズの両側に可動ブロックを動作させる駆動力を発生させることができ、可動ブロックが動作されたときに傾いた状態となり難く、共振の発生を防止することが可能となり、対物レンズ駆動装置の良好な動作特性を確保することができる。
【発明を実施するための最良の形態】
【００２６】
以下に、本発明光ピックアップ及びディスクドライブ装置の最良の形態を添付図面を参照して説明する。
【００２７】
ディスクドライブ装置１は、外筐２の内部に所要の各部材及び各機構が配置されて成り（図１参照）、外筐２には図示しないディスク挿入口が形成されている。
【００２８】
外筐２の内部には図示しないシャーシが配置され、該シャーシに取り付けられたスピンドルモーターのモーター軸にディスクテーブル３が固定されている。
【００２９】
シャーシには、平行なガイド軸４、４が取り付けられると共に図示しない送りモーターによって回転されるリードスクリュー５が支持されている。
【００３０】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００３１】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００３２】
ディスク状記録媒体１００としては、例えば、ＤＶＤ（Digital Versatile Disc）とＣＤ（Compact Disc）に加え、ＢＤ（Blu-ray Disc）が用いられる。これらの各ディスク状記録媒体１００のレーザー光の使用波長は、ＤＶＤが約６６０ｎｍ、ＣＤが約７８０ｎｍ、ＢＤが約４０５ｎｍである。
【００３３】
対物レンズ駆動装置８は固定ブロック９と該固定ブロック９に対して動作される可動ブロック１０とを有している（図２乃至図４参照）。
【００３４】
固定ブロック９と可動ブロック１０はディスク状記録媒体１００の記録トラックの接線方向（タンジェンシャル方向）に離隔して配置されている。
【００３５】
可動ブロック１０はレンズホルダー１１と該レンズホルダー１１に保持された対物レンズ１２、１３とを有している。
【００３６】
レンズホルダー１１の前面１１ａ、即ち、固定ブロック１０に対向する側と反対側の面には前後に貫通され下方に開口された透過用切欠１４が形成されている。レンズホルダー１１の前面１１ａにおける透過用切欠１４の左右両側の部分には、それぞれ第１のフォーカスコイル１５、１５と第１のトラッキングコイル１６、１６が取り付けられている。第１のトラッキングコイル１６、１６はそれぞれ第１のフォーカスコイル１５、１５の上端側に配置されている。
【００３７】
レンズホルダー１１の後面１１ｂ、即ち、固定ブロック１０に対向する側の面には第２のフォーカスコイル１７、１７と第２のトラッキングコイル１８が取り付けられている。第２のフォーカスコイル１７、１７は第２のトラッキングコイル１８の左右に配置されている。
【００３８】
対物レンズ１２、１３はディスク状記録媒体１００の半径方向（ラジアル方向）に離隔して配置され、対物レンズ１２は、例えば、ＢＤの使用波長のレーザー光を集光する機能を有し、対物レンズ１３は、例えば、ＤＶＤとＣＤの使用波長のレーザー光を集光する機能を有する。
【００３９】
固定ブロック９と可動ブロック１０の左右両端部にはそれぞれ三つずつの支持バネ１９、１９、・・・の各両端部が連結されている。従って、可動ブロック１０は支持バネ１９、１９、・・・によって固定ブロック９と連結されて中空に保持される。支持バネ１９、１９、・・・は導電性金属材料によって、例えば、ワイヤー状に形成されている。
【００４０】
第１のフォーカスコイル１５、１５と第１のトラッキングコイル１６、１６に対向する位置には、それぞれ第１のマグネット２０、２０が配置されている（図２参照）。第１のマグネット２０は大型のメインマグネット２０ａと小型のサブマグネット２０ｂが結合されて成り、該サブマグネット２０ｂはメインマグネット２０ａの上半部における外側の側面に結合されている。
【００４１】
メインマグネット２０ａは上下で異極に着磁されており、サブマグネット２０ｂはメインマグネット２０ａの上側の極と異なる極に着磁されている。
【００４２】
メインマグネット２０ａ、２０ａはそれぞれ第１のフォーカスコイル１５、１５に対向して配置され、メインマグネット２０ａ、２０ａと第１のフォーカスコイル１５、１５によってそれぞれ第１のフォーカス調整用磁気回路２１、２１が構成される。
【００４３】
メインマグネット２０ａ、２０ａの上半部とサブマグネット２０ｂ、２０ｂはそれぞれ第１のトラッキングコイル１６、１６に対向して配置され、メインマグネット２０ａ、２０ａの上半部と第１のトラッキングコイル１６、１６によってそれぞれ第１のトラッキング調整用磁気回路２２、２２が構成される。
【００４４】
第２のフォーカスコイル１７、１７と第２のトラッキングコイル１８に対向する位置には、第２のマグネット２３が配置されている（図２及び図４参照）。第２のマグネット２３は左右で異極に着磁された第１の部分２３ａ、２３ａと左右両端部における各上端部に位置し異極に着磁された第２の部分２３ｂ、２３ｂとから成る。
【００４５】
第２のマグネット２３は第１の部分２３ａ、２３ａの外側の部分と第２の部分２３ｂ、２３ｂがそれぞれ第２のフォーカスコイル１７、１７に対向して位置され、第１の部分２３ａ、２３ａの外側の部分と第２の部分２３ｂ、２３ｂと第２のフォーカスコイル１７、１７によってそれぞれ第２のフォーカス調整用磁気回路２４、２４が構成される。
【００４６】
第２のマグネット２３は第１の部分２３ａ、２３ａの内側の部分が第２のトラッキングコイル１８に対向して位置され、第１の部分２３ａの内側の部分と第２のトラッキングコイル１８によって第２のトラッキング調整用磁気回路２５が構成される。
【００４７】
尚、第１のマグネット２０、２０及び第２のマグネット２３はヨークに取り付けられていてもよく、また、ヨークが存在しない状態で単独で配置されていてもよい。
【００４８】
図示しない電源回路から第１のフォーカスコイル１５、１５、第２のフォーカスコイル１７、１７又は第１のトラッキングコイル１６、１６、第２のトラッキングコイル１８に駆動電流が供給されると、これらの駆動電流の向きと第１のマグネット２０、２０又は第２のマグネット２３により発生する磁束の方向とに応じた向きの力が発生し、可動ブロック１０がフォーカス方向又はトラッキング方向へ移動される。
【００４９】
フォーカス方向はディスク状記録媒体１００に離接する方向（図２に示すＦ方向）、即ち、上下方向であり、トラッキング方向はディスク状記録媒体１００の半径方向（図２に示すＴＲ方向）、即ち、左右方向である。また、フォーカス方向及びトラッキング方向にともに直交する方向がディスク状記録媒体１００の記録トラックの接線方向である上記したタンジェンシャル方向（図２に示すＴＡＮ方向）、即ち、前後方向とされる。
【００５０】
可動ブロック１０がフォーカス方向又はトラッキング方向へ動作されるときには、支持バネ１９、１９、・・・が弾性変形される。
【００５１】
移動ベース７には所要の各光学部品が配置されている（図５及び図６参照）。光学部品としては、第１の半導体レーザー２６、第２の半導体レーザー２７、第１のグレーティングレンズ２８、第２のグレーティングレンズ２９、ダイクロイックプリズム３０、モニター用受光素子３１、液晶素子３２、ビームスプリッター３３、第１のコリメーターレンズ３４、反射ミラー３５、偏光板３６、第２のコリメーターレンズ３７、集光レンズ３８、受光素子３９、第１の立上ミラー４０及び第２の立上ミラー４１が設けられている。
【００５２】
第１の半導体レーザー２６からはＢＤの使用波長の第１のレーザー光が出射され、第２の半導体レーザー２７からはＣＤ又はＤＶＤの使用波長の第２のレーザー光が出射される。
【００５３】
第１の半導体レーザー２６から第１のレーザー光が出射されると、第１のグレーティングレンズ２８によって光が回折されてダイクロイックプリズム３０に入射され、入射された第１のレーザー光はダイクロイックプリズム３０の機能面３０ａによって２方向に分離される。
【００５４】
ダイクロイックプリズム３０の機能面３０ａによって分離された一方の第１のレーザー光はモニター用受光素子３１に入射されて強度が検出される。モニター用受光素子３１によって第１のレーザー光の強度が検出されると、この検出結果に基づいて第１の半導体レーザー２６から出射される第１のレーザー光の強度が制御される。
【００５５】
ダイクロイックプリズム３０の機能面３０ａによって分離された他方の第１のレーザー光は、液晶素子３２に入射されてコマ収差や非点収差等が補正される。第１のレーザー光は液晶素子３２からビームスプリッター３３に入射され、該ビームスプリッター３３の機能面３３ａを透過されて第１のコリメーターレンズ３４に入射される。
【００５６】
第１のコリメーターレンズ３４に入射された第１のレーザー光は平行光とされて反射ミラー３５で反射されて進行方向が変更され、可動ブロック１０のレンズホルダー１１に形成された透過用切欠１４を通過して第１の立上ミラー４０で鉛直方向に立ち上げられて対物レンズ１２を介してディスク状記録媒体１００の記録面に照射される。
【００５７】
ディスク状記録媒体１００の記録面に照射された第１のレーザー光は、該ディスク状記録媒体１００の記録面で反射されて戻り光として第１の立上ミラー４０、反射ミラー３５及び第１のコリメーターレンズ３４を介して再びビームスプリッター３３に入射され、該ビームスプリッター３３の機能面３３ａで反射され集光レンズ３８によって集光されて受光素子３９に入射される。
【００５８】
第１のレーザー光が受光素子３９に入射されると、ＲＦ（Radio Frequency）信号やサーボ信号が検出される。
【００５９】
一方、第２の半導体レーザー２７から第２のレーザー光が出射されると、第２のグレーティングレンズ２９によって光が回折されてダイクロイックプリズム３０に入射され、入射された第２のレーザー光はダイクロイックプリズム３０の機能面３０ａによって２方向に分離される。
【００６０】
ダイクロイックプリズム３０の機能面３０ａによって分離された一方の第２のレーザー光はモニター用受光素子３１に入射されて強度が検出される。モニター用受光素子３１によって第２のレーザー光の強度が検出されると、この検出結果に基づいて第２の半導体レーザー２７から出射される第２のレーザー光の強度が制御される。
【００６１】
ダイクロイックプリズム３０の機能面３０ａによって分離された他方の第２のレーザー光は、液晶素子３２に入射されてコマ収差や非点収差等が補正される。第２のレーザー光は液晶素子３２からビームスプリッター３３に入射され、該ビームスプリッター３３の機能面３３ａ及び反射面３３ｂで連続して反射されて偏光板３６を透過されて第２のコリメーターレンズ３７に入射される。第２のレーザー光は偏光板３６によって偏光方向が変換される。
【００６２】
第２のコリメーターレンズ３７に入射された第２のレーザー光は平行光とされ、可動ブロック１０のレンズホルダー１１に形成された透過用切欠１４を通過して第２の立上ミラー４１で鉛直方向に立ち上げられて対物レンズ１３を介してディスク状記録媒体１００の記録面に照射される。
【００６３】
ディスク状記録媒体１００の記録面に照射された第２のレーザー光は、該ディスク状記録媒体１００の記録面で反射されて戻り光として第２の立上ミラー４１、第２のコリメーターレンズ３７及び偏光板３６を介して再びビームスプリッター３３に入射され、該ビームスプリッター３３の反射面３３ｂで反射され機能面３３ａを透過されて集光レンズ３８によって集光されて受光素子３９に入射される。
【００６４】
第２のレーザー光が受光素子３９に入射されると、ＲＦ信号やサーボ信号が検出される。
【００６５】
第１の半導体レーザー２６から出射された第１のレーザー光の光路Ｐ１と第２の半導体レーザー２７から出射された第２のレーザー光の光路Ｐ２とは、図５及び図６に示すように、レンズホルダー１１の透過用切欠１４又はその近傍において交差される。
【００６６】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００６７】
この記録動作及び再生動作において、第１のフォーカスコイル１５、１５及び第２のフォーカスコイル１７、１７に駆動電流が供給されると、上記したように、対物レンズ駆動装置８の可動ブロック１０が固定ブロック９に対して図２に示すフォーカス方向Ｆ−Ｆへ動作され、移動ベース７に設けられた第１の半導体レーザー２６又は第２の半導体レーザー２７から出射され対物レンズ１２、１３を介して照射される第１のレーザー光又は第２のレーザー光のスポットがディスク状記録媒体１００の記録面に集光するようにフォーカス調整が行われる。
【００６８】
また、第１のトラッキングコイル１６、１６及び第２のトラッキングコイル１８に駆動電流が供給されると、上記したように、対物レンズ駆動装置８の可動ブロック１０が固定ブロック９に対して図２に示すトラッキング方向ＴＲ−ＴＲへ動作され、第１の半導体レーザー２６又は第２の半導体レーザー２７から出射され対物レンズ１２、１３を介して照射される第１のレーザー光又は第２のレーザー光のスポットがディスク状記録媒体１００の記録トラック上に集光するようにトラッキング調整が行われる。
【００６９】
これらのフォーカス調整及びトラッキング調整は、ディスク状記録媒体１００の記録面で反射された戻り光としての第１のレーザー光又は第２のレーザー光が受光素子３９に入射されて検出されたときのサーボ信号に基づいて行われる。
【００７０】
以上に記載した通り、光ピックアップ６にあっては、対物レンズ１２を介してディスク状記録媒体１００の記録面に照射される第１のレーザー光の光路Ｐ１と対物レンズ１３を介してディスク状記録媒体１００の記録面に照射される第２のレーザー光の光路Ｐ２とをレンズホルダー１１の光路用切欠１４又はその近傍において交差させているため、光路用切欠１４を小さくすることができ、その分、可動ブロック１０の剛性を高くすることが可能となり、該可動ブロック１０が、特に、フォーカス方向へ動作されたときに共振が発生し難く、対物レンズ駆動装置８の良好な動作特性を確保することができる。
【００７１】
また、第２のフォーカス調整用磁気回路２４、２４と第２のトラッキング調整用磁気回路２５に加え、光路用切欠１４が小さくなることによりレンズホルダー１１の前面１１ａ側に生じたスペースに第１のフォーカス調整用磁気回路２１、２１と第１のトラッキング調整用磁気回路２２、２２を配置することができ、タンジェンシャル方向において対物レンズ１２、１３の両側に可動ブロック１０を動作させる駆動力を発生させることができる。従って、可動ブロック１０が、特に、フォーカス方向へ動作されたときに傾いた状態となり難く、共振の発生を防止することが可能となり、対物レンズ駆動装置８の良好な動作特性を確保することができる。
【００７２】
さらに、第２のフォーカス調整用磁気回路２４、２４と第２のトラッキング調整用磁気回路２５に加え、第１のフォーカス調整用磁気回路２１、２１と第１のトラッキング調整用磁気回路２２、２２を配置することにより、駆動力の増大による可動ブロック１０の動作時における感度の向上を図ることができる。
【００７３】
加えて、二つの第１のフォーカス調整用磁気回路２１、２１をディスク状記録媒体１００の半径方向において光路用切欠１４の両側に配置し、二つの第１のトラッキング調整用磁気回路２２、２２をディスク状記録媒体１００の半径方向において光路用切欠１４の両側に配置しているため、駆動力の発生点の良好なバランスが確保され、対物レンズ駆動装置８の良好な動作特性を確保することができる。
【００７４】
尚、上記には、固定ブロック９に対して移動可能なレンズホルダー１１にそれぞれ第１のフォーカスコイル１５、１５、第１のトラッキングコイル１６、１６、第２のフォーカスコイル１７、１７及び第２のトラッキングコイル１８を取り付けた所謂ムービングコイル型の対物レンズ駆動装置８を例として示したが、逆に、レンズホルダー１１にそれぞれマグネットを取り付けた所謂ムービングマグネット型の対物レンズ駆動装置とすることも可能である。
【００７５】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００７６】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７７】
【図１】図２乃至図６と共に本発明光ピックアップ及びディスクドライブ装置を実施するための最良の形態を示すものであり、本図はディスクドライブ装置の概略斜視図である。
【図２】対物レンズ駆動装置の拡大斜視図である。
【図３】対物レンズ駆動装置をマグネットを省略した状態で示す拡大斜視図である。
【図４】対物レンズ駆動装置を一部のマグネットを省略し図２とは反対方向から見た状態で示す拡大斜視図である。
【図５】対物レンズ駆動装置を各光学部品とともに示す拡大斜視図である。
【図６】各光学部品とレーザー光の光路を示す拡大斜視図である。
【符号の説明】
【００７８】
１…ディスクドライブ装置、３…スピンドルモーター、３ａ…ディスクテーブル、６…光ピックアップ、７…移動ベース、８…対物レンズ駆動装置、９…固定ブロック、１０…可動ブロック、１１…レンズホルダー、１２…対物レンズ、１３…対物レンズ、１４…透過用切欠、１５…第１のフォーカスコイル、１６…第１のトラッキングコイル、１７…第２のフォーカスコイル、１８…第２のトラッキングコイル、１９…支持バネ、２１…第１のフォーカス調整用磁気回路、２２…第１のトラッキング調整用磁気回路、２４…第２のフォーカス調整用磁気回路、２５…第２のトラッキング調整用磁気回路、４０…第１の立上ミラー、４１…第２の立上ミラー、１００…ディスク状記録媒体
【図１】
2009043305.tif 000003
【図２】
2009043305.tif 000004
【図３】
2009043305.tif 000005
【図４】
2009043305.tif 000006
【図５】
2009043305.tif 000007
【図６】
2009043305.tif 000008